(57)【要約】【課題】  ＧＥ−ＰＯＮフレームと802.11ＭＡＣフレームとの間の相互変換を可能とする。【解決手段】  光アクセス回線を伝搬するＧＥ−ＰＯＮフレームを無線回線を伝搬する802.11ＭＡＣフレームに変換する無線ＬＡＮ装置において、ＧＥ−ＰＯＮフレームのプリアンブル内のＬＬＩＤを含むプリアンブルの一部または全部を802.11ＭＡＣフレームの802.11ＭＡＣヘッダ内の所定位置または802.11ＭＡＣフレーム内の所定位置に格納し、ＧＥ−ＰＯＮフレームの宛先アドレス、送信元アドレス、タイプおよびデータ部を、802.11ＭＡＣフレームの宛先アドレス、送信元アドレス、タイプおよびデータ部にコピーし、ＦＣＳを生成して802.11ＭＡＣフレームを生成し、１つのＧＥ−ＰＯＮフレームを１つの802.11ＭＡＣフレームに変換する手段を備える。【選択図】        図１
2010130330.tif 000002
【特許請求の範囲】
【請求項１】
光アクセス回線を伝搬するＧＥ−ＰＯＮフレームを無線回線を伝搬する802.11ＭＡＣフレームに変換する無線ＬＡＮ装置において、
前記ＧＥ−ＰＯＮフレームのプリアンブル内のＬＬＩＤを含むプリアンブルの一部または全部を前記802.11ＭＡＣフレームの802.11ＭＡＣヘッダ内の所定位置または前記802.11ＭＡＣフレーム内の所定位置に格納し、前記ＧＥ−ＰＯＮフレームの宛先アドレス、送信元アドレス、タイプおよびデータ部を、前記802.11ＭＡＣフレームの宛先アドレス、送信元アドレス、タイプおよびデータ部にコピーし、ＦＣＳを生成して前記802.11ＭＡＣフレームを生成し、１つのＧＥ−ＰＯＮフレームを１つの802.11ＭＡＣフレームに変換する手段を備えた
ことを特徴とする無線ＬＡＮ装置。
【請求項２】
請求項１に記載の無線ＬＡＮ装置において、
前記ＧＥ−ＰＯＮフレームのプリアンブル内のＬＬＩＤを含むプリアンブルの一部を、前記802.11ＭＡＣフレームの802.11ＭＡＣヘッダ内のＷＤＳ用として予約されているアドレス４に格納する構成である
ことを特徴とする無線ＬＡＮ装置。
【請求項３】
請求項１に記載の無線ＬＡＮ装置において、
前記ＧＥ−ＰＯＮフレームのプリアンブル内のＬＬＩＤを、前記802.11ＭＡＣフレームの802.11ＭＡＣヘッダ内のデュレーション／ＩＤ領域に格納する構成である
ことを特徴とする無線ＬＡＮ装置。
【請求項４】
請求項１に記載の無線ＬＡＮ装置において、
前記ＧＥ−ＰＯＮフレームのプリアンブル内のＬＬＩＤを含むプリアンブルの一部または全部を、前記802.11ＭＡＣフレームの802.11ＭＡＣヘッダ、タイプ、データ部のそれぞれ前後のいずれかの位置に配置する構成である
ことを特徴とする無線ＬＡＮ装置。
【請求項５】
請求項１に記載の無線ＬＡＮ装置において、
所定時間内に連続して受信する複数のＧＥ−ＰＯＮフレームのＬＬＩＤ、宛先アドレスおよび送信元アドレスが同一のときに、前記802.11ＭＡＣフレームのデータ部の容量の範囲で、各ＧＥ−ＰＯＮフレームのデータ部を所定のプリアンブルを挟んで詰め込み、複数のＧＥ−ＰＯＮフレームを１つの802.11ＭＡＣフレームに変換する構成である
ことを特徴とする無線ＬＡＮ装置。
【請求項６】
請求項１に記載の無線ＬＡＮ装置において、
所定時間内に受信する複数のＧＥ−ＰＯＮフレームのうち、所定のＬＬＩＤ、所定の宛先アドレスおよび所定の送信元アドレスをもつＧＥ−ＰＯＮフレームを選択し、前記802.11ＭＡＣフレームのデータ部の容量の範囲で、選択した各ＧＥ−ＰＯＮフレームのデータ部を所定のプリアンブルを挟んで詰め込み、複数のＧＥ−ＰＯＮフレームを１つの802.11ＭＡＣフレームに変換する構成である
ことを特徴とする無線ＬＡＮ装置。
【請求項７】
無線回線を伝搬する802.11ＭＡＣフレームを光アクセス回線を伝搬するＧＥ−ＰＯＮフレームに変換する無線ＬＡＮ装置において、
前記802.11ＭＡＣフレームの802.11ＭＡＣヘッダ内の所定位置または前記802.11ＭＡＣフレーム内の所定位置に格納されているＬＬＩＤを含むプリアンブルの一部または全部を読み出して前記ＧＥ−ＰＯＮフレームのプリアンブルを生成し、前記802.11ＭＡＣフレームの宛先アドレス、送信元アドレス、タイプおよびデータ部を、前記ＧＥ−ＰＯＮフレームの宛先アドレス、送信元アドレス、タイプおよびデータ部にコピーし、ＦＣＳを生成して前記ＧＥ−ＰＯＮフレームを生成し、１つの802.11ＭＡＣフレームを１つのＧＥ−ＰＯＮフレームに変換する手段を備えた
ことを特徴とする無線ＬＡＮ装置。
【請求項８】
請求項７に記載の無線ＬＡＮ装置において、
前記802.11ＭＡＣフレームの802.11ＭＡＣヘッダ内のＷＤＳ用として予約されているアドレス４に格納されているＬＬＩＤを含むプリアンブルの一部を読み出し、前記ＧＥ−ＰＯＮフレームのプリアンブルを生成する構成である
ことを特徴とする無線ＬＡＮ装置。
【請求項９】
請求項７に記載の無線ＬＡＮ装置において、
前記802.11ＭＡＣフレームの802.11ＭＡＣヘッダ内のデュレーション／ＩＤ領域に格納されているＬＬＩＤを読み出し、前記ＧＥ−ＰＯＮフレームのプリアンブルを生成する構成である
ことを特徴とする無線ＬＡＮ装置。
【請求項１０】
請求項７に記載の無線ＬＡＮ装置において、
前記802.11ＭＡＣフレームの802.11ＭＡＣヘッダ、タイプ、データ部のそれぞれ前後のいずれかの位置に配置されているＬＬＩＤを含むプリアンブルの一部または全部を読み出し、前記ＧＥ−ＰＯＮフレームのプリアンブルを生成する構成である
ことを特徴とする無線ＬＡＮ装置。
【請求項１１】
請求項７に記載の無線ＬＡＮ装置において、
前記802.11ＭＡＣフレームのデータ部に所定のプリアンブルを挟んで複数のデータ部が詰め込まれているときに、そのデータ部の数に対応するＧＥ−ＰＯＮフレームのプリアンブルを生成し、さらに各ＧＥ−ＰＯＮフレームのデータ部に前記802.11ＭＡＣフレームの複数のデータ部をコピーし、１つの802.11ＭＡＣフレームを複数のＧＥ−ＰＯＮフレームに変換する構成である
ことを特徴とする無線ＬＡＮ装置。
【発明の詳細な説明】
【技術分野】
【０００１】
本発明は、ＧＥ−ＰＯＮフレームと802.11ＭＡＣフレームとの間の相互変換を行う無線ＬＡＮ装置に関する。
【背景技術】
【０００２】
図１２は、光アクセスネットワークの構成例を示す。
ここでは、ＩＥＥＥ８０２．３ａｈで標準化されたＧＥ−ＰＯＮ（Gigabit Ethernet（登録商標）-Passive Optical Network）の光アクセスネットワークの構成例を示す。ＧＥ−ＰＯＮでは、１つの光加入者線終端盤（ＯＬＴ：Optical Line Terminal)２０１と複数の光ネットワーク終端装置（ＯＮＵ：Optical Network Unit）２０２−１〜２０２−ｎとが、光ファイバ伝送路２０３、光スプリッタ２０５、ｎ本の光ファイバ伝送路２０４−１〜２０４−ｎを介して１対ｎで接続される。
【０００３】
図１３は、ＧＥ−ＰＯＮフレームの構成例を示す（非特許文献１）。
ＧＥ−ＰＯＮフレームは、プリアンブル（８オクテット）、宛先アドレス（６オクテット）、送信元アドレス（６オクテット）、タイプ（２オクテット）、データ部（46〜1500オクテット）、ＦＣＳ（４オクテット）からなるイーサネットフレームのプリアンブルの一部に、ＳＬＤ(Start of LLID Delimiter) およびＬＬＩＤ(Logical Link Identifier) を埋め込んだ構成である。すなわち、ＧＥ−ＰＯＮ用のプリアンブルは、８オクテットのうち先頭から３オクテット目にＳＬＤを配置し、６〜７オクテット目にＬＬＩＤを配置し、８オクテット目にプリアンブル部の符号誤りチェックを行うＣＲＣ(Cyclic Redundancy Check）を配置する。
【０００４】
このＬＬＩＤの値は、ＯＮＵ登録時にＯＬＴで決定され、ＯＬＴは配下のＯＮＵでＬＬＩＤの重複が起こらないように管理している。ＳＬＤは、プリアンブル領域にＬＬＩＤが記載されていることを示すもので、そのビット列は16進数で「０ｘｄ５」、２進数で「11010101」と規定されている。その他の予備領域には16進数で「０ｘ５５」、２進数で「01010101」が設定される。
【０００５】
下り方向通信（ＯＬＴ→ＯＮＵ）では、ＯＬＴは宛先となるＯＮＵのＬＬＩＤを送信フレームのプリアンブルに埋め込んで送信する。ＯＮＵは、予めＯＬＴから通知された自分のＬＬＩＤと受信フレームのＬＬＩＤを照合し、一致している受信フレームを自分宛てと判断して取り込み、そうでなければ自分宛てでないと判断して受信フレームを廃棄する。上り方向通信（ＯＮＵ→ＯＬＴ）では、ＯＮＵは割り当てられたＬＬＩＤを送信フレームのプリアンブルに埋め込んでＯＬＴへ送信する。ＯＬＴは、受信フレームのＬＬＩＤによりどのＯＮＵから送信されたフレームであるかを判別する。このように、ＬＬＩＤによる識別を行うことにより、物理的にはＧＥ−ＰＯＮの形態であっても、論理的にはＰ２Ｐ形態での通信が可能となる。
【０００６】
ところで、802.11無線ＬＡＮで用いられる802.11ＭＡＣフレームは、図１４に示すように、イーサネットフレームのプリアンブルとＦＣＳを除くすべての情報要素を適切な領域にコピーできるため、互換性が維持されるようになっている（非特許文献２）。図１４において、イーサネットフレームの宛先アドレスおよび送信元アドレスは、802.11ＭＡＣフレームの802.11ＭＡＣヘッダのアドレス１（宛先）およびアドレス２（送信元）にコピーされ、さらにイーサネットフレームのタイプおよびデータ部は802.11ＭＡＣフレームのタイプおよびデータ部（０〜2312オクテット）に格納され、さらに802.11ＭＡＣフレームのＦＣＳが生成される。なお、802.11ＭＡＣヘッダは、フレーム制御（２オクテッド）、デュレーション／ＩＤ（２オクテッド）、アドレス１（宛先、６オクテッド）、アドレス２（送信元、６オクテッド）、アドレス３（ＢＳＳＩＤ等、６オクテッド）、シーケンス制御（２オクテッド）、アドレス４（ＷＤＳ用、６オクテッド）の各フィールドから構成される。また、802.11ＭＡＣヘッダの次にＬＬＣヘッダ（ＳＮＡＰ形式）が付加される。
【非特許文献１】技術基礎講座“ＧＥ−ＰＯＮ技術  第２回  ＧＥ−ＰＯＮ技術”、ＮＴＴアクセスサービスシステム研究所、ＮＴＴ技術ジャーナル、Vol.17、No.9、2005年９月、pp.91-94
【非特許文献２】守倉正博・久保田周治監修、“改訂版802.11高速無線ＬＡＮ教科書”、インプレス社、2005年１月、p.76
【発明の開示】
【発明が解決しようとする課題】
【０００７】
ＧＥ−ＰＯＮの光アクセスネットワークの光アクセス回線（図１２の光ファイバ伝送路２０３，２０４）が災害等で切断された場合に、切断箇所の回線を無線接続によって臨時に復旧する方法が検討されている。ここで、図１４に示すように、イーサネットフレームと802.11ＭＡＣフレームの互換性を利用し、切断箇所を無線ＬＡＮ装置で補完することが検討された。しかし、ＧＥ−ＰＯＮフレームでＬＬＩＤが設定されるプリアンブルはコピーの対象になっていないため、ＧＥ−ＰＯＮフレームをそのまま802.11ＭＡＣフレームに格納できなかった。
【０００８】
そのため、切断箇所を無線ＬＡＮ装置で補完する場合は、図１５に示すように切断箇所に臨時のＧＥ−ＯＬＴおよびＧＥ−ＯＮＵを設置してＧＥ−ＰＯＮフレームを終端させ、イーサネットフレームに展開した後に802.11ＭＡＣフレームに格納し、無線ＬＡＮ装置を介して無線伝送する構成が考えられている。しかし、可搬性があり、屋外仕様のＯＬＴおよびＯＮＵは存在していないために図１５のシステム構成は実現困難であった。
【０００９】
本発明は、ＧＥ−ＰＯＮフレームと802.11ＭＡＣフレームとの間の相互変換を可能とし、光アクセス回線の切断箇所を補完することができる無線ＬＡＮ装置を提供することを目的とする。
【課題を解決するための手段】
【００１０】
第１の発明は、光アクセス回線を伝搬するＧＥ−ＰＯＮフレームを無線回線を伝搬する802.11ＭＡＣフレームに変換する無線ＬＡＮ装置において、ＧＥ−ＰＯＮフレームのプリアンブル内のＬＬＩＤを含むプリアンブルの一部または全部を802.11ＭＡＣフレームの802.11ＭＡＣヘッダ内の所定位置または802.11ＭＡＣフレーム内の所定位置に格納し、ＧＥ−ＰＯＮフレームの宛先アドレス、送信元アドレス、タイプおよびデータ部を、802.11ＭＡＣフレームの宛先アドレス、送信元アドレス、タイプおよびデータ部にコピーし、ＦＣＳを生成して802.11ＭＡＣフレームを生成し、１つのＧＥ−ＰＯＮフレームを１つの802.11ＭＡＣフレームに変換する手段を備える。
【００１１】
第１の発明の無線ＬＡＮ装置は、ＧＥ−ＰＯＮフレームのプリアンブル内のＬＬＩＤを含むプリアンブルの一部を、802.11ＭＡＣフレームの802.11ＭＡＣヘッダ内のＷＤＳ用として予約されているアドレス４に格納する構成である。
【００１２】
第１の発明の無線ＬＡＮ装置は、ＧＥ−ＰＯＮフレームのプリアンブル内のＬＬＩＤを、802.11ＭＡＣフレームの802.11ＭＡＣヘッダ内のデュレーション／ＩＤ領域に格納する構成である。
【００１３】
第１の発明の無線ＬＡＮ装置は、ＧＥ−ＰＯＮフレームのプリアンブル内のＬＬＩＤを含むプリアンブルの一部または全部を、802.11ＭＡＣフレームの802.11ＭＡＣヘッダ、タイプ、データ部のそれぞれ前後のいずれかの位置に配置する構成である。
【００１４】
第１の発明の無線ＬＡＮ装置は、所定時間内に連続して受信する複数のＧＥ−ＰＯＮフレームのＬＬＩＤ、宛先アドレスおよび送信元アドレスが同一のときに、802.11ＭＡＣフレームのデータ部の容量の範囲で、各ＧＥ−ＰＯＮフレームのデータ部を所定のプリアンブルを挟んで詰め込み、複数のＧＥ−ＰＯＮフレームを１つの802.11ＭＡＣフレームに変換する構成である。
【００１５】
第１の発明の無線ＬＡＮ装置は、所定時間内に受信する複数のＧＥ−ＰＯＮフレームのうち、所定のＬＬＩＤ、所定の宛先アドレスおよび所定の送信元アドレスをもつＧＥ−ＰＯＮフレームを選択し、802.11ＭＡＣフレームのデータ部の容量の範囲で、選択した各ＧＥ−ＰＯＮフレームのデータ部を所定のプリアンブルを挟んで詰め込み、複数のＧＥ−ＰＯＮフレームを１つの802.11ＭＡＣフレームに変換する構成である。
【００１６】
第２の発明は、無線回線を伝搬する802.11ＭＡＣフレームを光アクセス回線を伝搬するＧＥ−ＰＯＮフレームに変換する無線ＬＡＮ装置において、802.11ＭＡＣフレームの802.11ＭＡＣヘッダ内の所定位置または802.11ＭＡＣフレーム内の所定位置に格納されているＬＬＩＤを含むプリアンブルの一部または全部を読み出してＧＥ−ＰＯＮフレームのプリアンブルを生成し、802.11ＭＡＣフレームの宛先アドレス、送信元アドレス、タイプおよびデータ部を、ＧＥ−ＰＯＮフレームの宛先アドレス、送信元アドレス、タイプおよびデータ部にコピーし、ＦＣＳを生成してＧＥ−ＰＯＮフレームを生成し、１つの802.11ＭＡＣフレームを１つのＧＥ−ＰＯＮフレームに変換する手段を備える。
【００１７】
第２の発明の無線ＬＡＮ装置は、802.11ＭＡＣフレームの802.11ＭＡＣヘッダ内のＷＤＳ用として予約されているアドレス４に格納されているＬＬＩＤを含むプリアンブルの一部を読み出し、ＧＥ−ＰＯＮフレームのプリアンブルを生成する構成である。
【００１８】
第２の発明の無線ＬＡＮ装置は、802.11ＭＡＣフレームの802.11ＭＡＣヘッダ内のデュレーション／ＩＤ領域に格納されているＬＬＩＤを読み出し、ＧＥ−ＰＯＮフレームのプリアンブルを生成する構成である。
【００１９】
第２の発明の無線ＬＡＮ装置は、802.11ＭＡＣフレームの802.11ＭＡＣヘッダ、タイプ、データ部のそれぞれ前後のいずれかの位置に配置されているＬＬＩＤを含むプリアンブルの一部または全部を読み出し、ＧＥ−ＰＯＮフレームのプリアンブルを生成する構成である。
【００２０】
第２の発明の無線ＬＡＮ装置は、802.11ＭＡＣフレームのデータ部に所定のプリアンブルを挟んで複数のデータ部が詰め込まれているときに、そのデータ部の数に対応するＧＥ−ＰＯＮフレームのプリアンブルを生成し、さらに各ＧＥ−ＰＯＮフレームのデータ部に802.11ＭＡＣフレームの複数のデータ部をコピーし、１つの802.11ＭＡＣフレームを複数のＧＥ−ＰＯＮフレームに変換する構成である。
【発明の効果】
【００２１】
本発明の無線ＬＡＮ装置は、ＧＥ−ＰＯＮフレームのプリアンブルのＬＬＩＤを802.11ＭＡＣフレームの所定位置に格納し、さらにＧＥ−ＰＯＮフレームの宛先アドレス、送信元アドレス、タイプおよびデータ部を、802.11ＭＡＣフレームの宛先アドレス、送信元アドレス、タイプおよびデータ部にコピーし、ＦＣＳを生成して802.11ＭＡＣフレームを生成することができる。
【００２２】
また、本発明の無線ＬＡＮ装置は、802.11ＭＡＣフレームの所定位置に格納されているＬＬＩＤを読み出してＧＥ−ＰＯＮフレームのプリアンブルを生成し、さらに802.11ＭＡＣフレームの宛先アドレス、送信元アドレス、タイプおよびデータ部を、ＧＥ−ＰＯＮフレームの宛先アドレス、送信元アドレス、タイプおよびデータ部にコピーし、ＦＣＳを生成してＧＥ−ＰＯＮフレームを生成することができる。
【００２３】
これにより、ＧＥ−ＰＯＮフレームのプリアンブルのＬＬＩＤを含めて、ＧＥ−ＰＯＮフレームと802.11ＭＡＣフレームとの間の相互変換が可能となり、光アクセス回線の切断箇所を補完することができる。
【００２４】
また、ＬＬＩＤ、宛先アドレスおよび送信元アドレスが同一となる複数のＧＥ−ＰＯＮフレームについては、その複数のデータ部を802.11ＭＡＣフレームのデータ部に詰め込むことにより、複数のＧＥ−ＰＯＮフレームと１つの802.11ＭＡＣフレームとの間の相互変換が可能となる。
【発明を実施するための最良の形態】
【００２５】
（第１の実施形態）
図１は、本発明の無線ＬＡＮ装置の第１の実施形態を示す。図２は、本発明の第１の実施形態の処理手順を示す。
図１において、対向する無線ＬＡＮ装置１００は同一構成であり、光アクセス回線を介してＯＮＵまたはＯＬＴとの間で光信号（ＧＥ−ＰＯＮフレーム）の送受信処理を行う光信号送受信部１０１、対向する無線ＬＡＮ装置との間で無線信号（802.11ＭＡＣフレーム）の送受信処理を行う無線信号送受信部１０６、ＧＥ−ＰＯＮフレームのプリアンブルからＳＬＤ，ＬＬＩＤ，ＣＲＣを抽出する識別子抽出部１０２、802.11ＭＡＣフレームの802.11ＭＡＣヘッダからＳＬＤ，ＬＬＩＤ，ＣＲＣを抽出する識別子抽出部１０３、識別子抽出部１０２，１０３で抽出したＳＬＤ，ＬＬＩＤ，ＣＲＣを格納するバッファ部１０４、ＧＥ−ＰＯＮフレームから802.11ＭＡＣフレームを生成する処理および802.11ＭＡＣフレームをＧＥ−ＰＯＮフレームに展開する処理を行うフレーム生成・展開部１０５により構成される。
【００２６】
まず、ＧＥ−ＰＯＮフレームから802.11ＭＡＣフレームを生成する処理手順について説明する。図１および図２(1) において、光信号送受信部１０１はＯＮＵまたはＯＬＴから送信された光信号（ＧＥ−ＰＯＮフレーム）を受信し（Ｓ１）、識別子抽出部１０２に出力する。識別子抽出部１０２はＧＥ−ＰＯＮフレームを入力すると、プリアンブル以外の部分をフレーム生成・展開部１０５に出力するとともに、プリアンブルからＳＬＤ，ＬＬＩＤ，ＣＲＣを抽出し（Ｓ2-1 ）、バッファ部１０４に格納する。フレーム生成・展開部１０５は、バッファ部１０４からＳＬＤ，ＬＬＩＤ，ＣＲＣを読み出し、802.11ＭＡＣフレームの802.11ＭＡＣヘッダ内にＷＤＳ（Wireless Distribution System) 用として予約されているアドレス４に埋め込む（Ｓ3-1 ）。さらに、フレーム生成・展開部１０５は、識別子抽出部１０２を介して入力するＧＥ−ＰＯＮフレームの宛先アドレスおよび送信元アドレスを、802.11ＭＡＣフレームの802.11ＭＡＣヘッダのアドレス１およびアドレス２にコピーし、ＧＥ−ＰＯＮフレームのタイプおよびデータ部を802.11ＭＡＣフレームのタイプおよびデータ部にコピーする（Ｓ４）。そして、フレーム生成・展開部１０５は、802.11ＭＡＣフレームのＦＣＳを生成し、無線信号送受信部１０６へ出力する（Ｓ５）。無線信号送受信部１０６は、802.11ＭＡＣフレームを無線信号として対向する無線ＬＡＮ装置１００へ送信する。
【００２７】
なお、802.11ＭＡＣヘッダ内にＷＤＳ用として予約されているアドレス４の領域は、本実施形態のように無線ＬＡＮ装置１００が１対１で対向する場合には使用されないので、ＧＥ−ＰＯＮフレームのＬＬＩＤ等を格納しても問題はない。また、このアドレス４の領域は６オクテットあるので、ステップＳ2-1 ，Ｓ3-1 において、ＧＥ−ＰＯＮフレームのプリアンブルのＬＬＩＤを含むＳＬＤからＣＲＣまでの６オクテッドを抽出し、そのままアドレス４の領域にコピーしてもよいし、あるいはＬＬＩＤのみをアドレス４の領域に埋め込んでもよい。
【００２８】
次に、802.11ＭＡＣフレームをＧＥ−ＰＯＮフレームに展開する処理手順について説明する。図１および図２(2) において、無線信号送受信部１０６は対向する無線ＬＡＮ装置から送信された無線信号（802.11ＭＡＣフレーム）を受信し（Ｓ11）、識別子抽出部１０３に出力する。識別子抽出部１０３は802.11ＭＡＣフレームを入力すると、フレーム生成・展開部１０５に出力するとともに、アドレス４の領域からＳＬＤ，ＬＬＩＤ，ＣＲＣを抽出し（Ｓ12-1）、バッファ部１０３に格納する。フレーム生成・展開部１０５は、バッファ部１０４からＳＬＤ，ＬＬＩＤ，ＣＲＣを読み出し、「0x55」を挿入・追加してＧＥ−ＰＯＮフレームの８オクテッドのプリアンブルを生成する（Ｓ13）。さらに、フレーム生成・展開部１０５は、識別子抽出部１０３を介して入力する802.11ＭＡＣフレームのアドレス１およびアドレス２を、ＧＥ−ＰＯＮフレームの宛先アドレスおよび送信元アドレスにコピーし、802.11ＭＡＣフレームのタイプおよびデータ部をＧＥ−ＰＯＮフレームのタイプおよびデータ部にコピーする（Ｓ14）。そして、フレーム生成・展開部１０５は、ＧＥ−ＰＯＮフレームのＦＣＳを生成し、光信号送受信部１０１へ出力する（Ｓ15）。光信号送受信部１０１は、ＧＥ−ＰＯＮフレームを光信号としてＯＮＵまたはＯＬＴへ送信する。
【００２９】
なお、ステップＳ13において、802.11ＭＡＣフレームの802.11ＭＡＣヘッダ内のアドレス４の領域に、ＬＬＩＤを含むＳＬＤからＣＲＣまでの６オクテッドがそのまま格納されている場合には、先頭に２オクテッドの「0x55」を追加して８オクテッドのプリアンブルを生成する。また、アドレス４の領域にＬＬＩＤのみが格納されている場合には、ＳＬＤ，ＣＲＣ，「0x55」を適宜追加して８オクテッドのプリアンブルを生成する。
【００３０】
（第２の実施形態）
図３は、本発明の無線ＬＡＮ装置の第２の実施形態を示す。図４は、本発明の第２の実施形態の処理手順を示す。なお、本発明の第２の実施形態の無線ＬＡＮ装置１００の構成は、図１に示す第１の実施形態と同様である。
【００３１】
本実施形態は、図３および図４(1) において、ＧＥ−ＰＯＮフレームから802.11ＭＡＣフレームを生成するために、識別子抽出部１０２でＧＥ−ＰＯＮフレームのプリアンブルからＬＬＩＤ（２オクテッド）を抽出し（Ｓ2-2 ）、フレーム生成・展開部１０５でＬＬＩＤを802.11ＭＡＣフレームの802.11ＭＡＣヘッダ内のデュレーション／ＩＤ領域（２オクテッド）に格納することを特徴とする（Ｓ3-2 ）。802.11ＭＡＣヘッダ処理からタイプおよびデータ部のコピー（Ｓ４）、ＦＣＳの生成（Ｓ５）は、第１の実施形態と同様に行われる。
【００３２】
また、本実施形態は、図３および図４(2) において、802.11ＭＡＣフレームをＧＥ−ＰＯＮフレームに展開するために、識別子抽出部１０３で802.11ＭＡＣフレームの802.11ＭＡＣヘッダ内のデュレーション／ＩＤ領域からＬＬＩＤを抽出することを特徴とする（Ｓ12-2）。フレーム生成・展開部１０５でＳＬＤ，ＬＬＩＤおよびＣＲＣを含むＧＥ−ＰＯＮフレームのプリアンブルの生成（Ｓ13）、ＧＥ−ＰＯＮフレームのアドレス処理からタイプおよびデータ部のコピー（Ｓ14）、ＦＣＳの生成（Ｓ15）は、第１の実施形態と同様に行われる。
【００３３】
なお、デュレーション／ＩＤ領域は、隠れ端末対策としてＲＴＳ／ＣＴＳによる送信禁止時間（ＮＡＶ）のデータと、パワーセーブモード端末の識別子として使われるものである。本実施形態のように無線ＬＡＮ装置１００が１対１で対向する構成でパワーセーブを行わない場合には、このデュレーション／ＩＤ領域は使用されないので、ＧＥ−ＰＯＮフレームのＬＬＩＤを格納しても問題はない。
【００３４】
（第３の実施形態）
図５は、本発明の無線ＬＡＮ装置の第３の実施形態を示す。図６は、本発明の第３の実施形態の処理手順を示す。なお、本発明の第３の実施形態の無線ＬＡＮ装置１００の構成は、図１に示す第１の実施形態と同様である。
【００３５】
本実施形態は、図５および図６(1) において、ＧＥ−ＰＯＮフレームから802.11ＭＡＣフレームを生成するために、識別子抽出部１０２でＧＥ−ＰＯＮフレームの少なくともＬＬＩＤ（２オクテッド）を含むプリアンブルの一部または全部を抽出し（Ｓ2-3 ）、フレーム生成・展開部１０５でプリアンブルの一部または全部を802.11ＭＡＣフレームの所定位置に貼り付けることを特徴とする（Ｓ3-3 ）。802.11ＭＡＣヘッダ処理からタイプおよびデータ部のコピー（Ｓ４）、ＦＣＳの生成（Ｓ５）は、第１の実施形態と同様に行われる。
【００３６】
ここで、ＧＥ−ＰＯＮフレームのプリアンブルの一部または全部を貼り付ける位置は、図５に示すように、802.11ＭＡＣフレームの802.11ＭＡＣヘッダの前でもよいし、あるいは802.11ＭＡＣヘッダとＬＬＣヘッダの間、ＬＬＣヘッダとタイプの間、タイプとデータ部の間のいずれでもよい。このような802.11ＭＡＣフレームは、本発明の無線ＬＡＮ装置のみで有効な独自仕様となる。
【００３７】
また、本実施形態は、図５および図６(2) において、802.11ＭＡＣフレームをＧＥ−ＰＯＮフレームに展開するために、識別子抽出部１０３で802.11ＭＡＣフレームの所定位置からプリアンブルの一部または全部を抽出することを特徴とする（Ｓ12-3）。フレーム生成・展開部１０５でＳＬＤ，ＬＬＩＤおよびＣＲＣを含むＧＥ−ＰＯＮフレームのプリアンブルの生成（Ｓ13）、ＧＥ−ＰＯＮフレームのアドレス処理からタイプおよびデータ部のコピー（Ｓ14）、ＦＣＳの生成（Ｓ15）は、第１の実施形態と同様に行われる。
【００３８】
（第４の実施形態）
図７は、本発明の無線ＬＡＮ装置の第４の実施形態を示す。図８は、本発明の第４の実施形態の処理手順１（ＧＥ−ＰＯＮフレームから802.11ＭＡＣフレームを生成する処理手順）を示す。図９は、本発明の第４の実施形態の処理手順２（802.11ＭＡＣフレームをＧＥ−ＰＯＮフレームに展開する処理手順）を示す。なお、本発明の第４の実施形態の無線ＬＡＮ装置１００の構成は、図１に示す第１の実施形態とほぼ同様であるが、バッファ部１１４およびフレーム生成・展開部１１５の機能が異なる。
【００３９】
本実施形態では、ＧＥ−ＰＯＮフレームから802.11ＭＡＣフレームを生成する処理、802.11ＭＡＣフレームをＧＥ−ＰＯＮフレームに展開する処理におけるＧＥ−ＰＯＮフレームのＬＬＩＤを含むプリアンブルの処理を第１の実施形態に基づいて説明するが、第２の実施形態あるいは第３の実施形態の処理手順であってもよい。
【００４０】
まず、ＧＥ−ＰＯＮフレームから802.11ＭＡＣフレームを生成する処理手順について説明する。図７および図８において、光信号送受信部１０１はＯＮＵまたはＯＬＴから送信された光信号（ＧＥ−ＰＯＮフレーム）を受信し（Ｓ１）、識別子抽出部１０２はＧＥ−ＰＯＮフレームのプリアンブルからＳＬＤ，ＬＬＩＤ，ＣＲＣを抽出し（Ｓ2-1 ）、フレーム生成・展開部１１５はＳＬＤ，ＬＬＩＤ，ＣＲＣを802.11ＭＡＣフレームの802.11ＭＡＣヘッダ内のアドレス４に埋め込み（Ｓ3-1 ）、ＧＥ−ＰＯＮフレームの宛先アドレスおよび送信元アドレスを802.11ＭＡＣフレームの802.11ＭＡＣヘッダのアドレス１およびアドレス２にコピーし、ＧＥ−ＰＯＮフレームのタイプおよびデータ部を802.11ＭＡＣフレームのタイプおよびデータ部にコピーする処理（Ｓ４）までは、第１の実施形態と同様である。また、ここまでの処理は第２の実施形態または第３の実施形態と同様であってもよい。
【００４１】
本実施形態のフレーム生成・展開部１１５は、ステップＳ４で生成した802.11ＭＡＣフレームをバッファ部１１４にバッファリングし（Ｓ21）、所定時間内に次のＧＥ−ＰＯＮフレームを受信するか否か待機する（Ｓ22）。ここで、所定時間内に次のＧＥ−ＰＯＮフレームを受信すると、前のＧＥ−ＰＯＮフレームと同一のＬＬＩＤでかつ同じ宛先アドレスおよび送信元アドレスであるか否かを判断する（Ｓ23）。次のＧＥ−ＰＯＮフレームのＬＬＩＤ、宛先アドレスおよび送信元アドレスが同一であれば、ステップＳ４で生成した802.11ＭＡＣフレームをバッファ部１１４から読み出し、そのデータ部に次のＧＥ−ＰＯＮフレームのデータ部が格納可能か否かを判断する（Ｓ24）。
【００４２】
このステップＳ24の格納可能とする判断は、前のＧＥ−ＰＯＮフレームのデータ部をａバイト、データ部の区切りを示す所定のプリアンブル（例えば16進数で「0x55」、２進数で「01010101」の繰り返し）をｂバイトとすると、データ部の残量Ｘ（＝2312−ａ−ｂ）バイトが、次のＧＥ−ＰＯＮフレームのデータ部のｃバイト以上が条件となる。すなわち、Ｘ≧ｃであれば、ステップＳ４で生成した802.11ＭＡＣフレームのデータ部に、所定のプリアンブルを挿入して次のＧＥ−ＰＯＮフレームのデータ部を格納し（Ｓ25）、生成した802.11ＭＡＣフレームをバッファ部１１４にバッファリングする（Ｓ21）。このときの802.11ＭＡＣフレームのデータ部の残量は（Ｘ−ｃ−ｂ）となる。以下、802.11ＭＡＣフレームのデータ部に次のＧＥ−ＰＯＮフレームのデータ部が格納できなくなるまで、ステップＳ22〜Ｓ25の処理を繰り返す。
【００４３】
ここで、ステップＳ22で所定時間内に次のＧＥ−ＰＯＮフレームを受信しない場合、ステップＳ23で所定時間内に受信した次のＧＥ−ＰＯＮフレームのＬＬＩＤ、宛先アドレスおよび送信元アドレスが同一でない場合、ステップＳ24で802.11ＭＡＣフレームのデータ部に次のＧＥ−ＰＯＮフレームのデータ部を格納できない場合には、フレーム生成・展開部１０５は、第１の実施形態と同様に、バッファ部１１４にバッファリングしている802.11ＭＡＣフレームを読み出し、802.11ＭＡＣフレームのＦＣＳを生成し、無線信号送受信部１０６へ出力する（Ｓ５）。無線信号送受信部１０６は、802.11ＭＡＣフレームを無線信号として対向する無線ＬＡＮ装置１００へ送信する。なお、ＬＬＩＤ、宛先アドレスおよび送信元アドレスが同一でないＧＥ−ＰＯＮフレームについては、ステップＳ１からの処理手順に従って次の802.11ＭＡＣフレームが生成される。
【００４４】
次に、802.11ＭＡＣフレームをＧＥ−ＰＯＮフレームに展開する処理手順について説明する。図７および図９において、無線信号送受信部１０６は対向する無線ＬＡＮ装置から送信された無線信号（802.11ＭＡＣフレーム）を受信し（Ｓ11）、識別子抽出部１０３はアドレス４の領域からＳＬＤ，ＬＬＩＤ，ＣＲＣを抽出する処理（Ｓ12-1）までは、第１の実施形態と同様である。また、ここまでの処理は第２の実施形態または第３の実施形態と同様であってもよい。
【００４５】
フレーム生成・展開部１１５は、受信した802.11ＭＡＣフレームのデータ部が所定のプリアンブル（ｂバイト）で区切られているか否かを判断する（Ｓ31）。ここで、802.11ＭＡＣフレームのデータ部が所定のプリアンブルで区切られていない場合には、第１の実施形態と同様に、フレーム生成・展開部１０５は８オクテッドのプリアンブルを生成し（Ｓ13）、802.11ＭＡＣフレームのアドレス１およびアドレス２をＧＥ−ＰＯＮフレームの宛先アドレスおよび送信元アドレスにコピーし、802.11ＭＡＣフレームのタイプおよびデータ部をＧＥ−ＰＯＮフレームのタイプおよびデータ部にコピーし（Ｓ14）、ＧＥ−ＰＯＮフレームのＦＣＳを生成し、光信号送受信部１０１へ出力する（Ｓ15）。光信号送受信部１０１は、１つのＧＥ−ＰＯＮフレームを光信号としてＯＮＵまたはＯＬＴへ送信する。
【００４６】
一方、802.11ＭＡＣフレームのデータ部が所定のプリアンブルで区切られている場合には、フレーム生成・展開部１０５はバッファ部１０４からＳＬＤ，ＬＬＩＤ，ＣＲＣを読み出し、「0x55」を挿入・追加し、データ部の数のＧＥ−ＰＯＮフレームの８オクテッドのプリアンブルを生成する（Ｓ32）。さらに、フレーム生成・展開部１０５は、識別子抽出部１０３を介して入力する802.11ＭＡＣフレームのアドレス１およびアドレス２を、データ部の数のＧＥ−ＰＯＮフレームの宛先アドレスおよび送信元アドレスにコピーし、802.11ＭＡＣフレームのタイプおよび各データ部を、データ部の数のＧＥ−ＰＯＮフレームのタイプおよびデータ部にそれぞれコピーする（Ｓ33）。そして、フレーム生成・展開部１０５は、データ部の数のＧＥ−ＰＯＮフレームのＦＣＳを生成し、光信号送受信部１０１へ出力する（Ｓ34）。光信号送受信部１０１は、データ部の数のＧＥ−ＰＯＮフレームを光信号としてＯＮＵまたはＯＬＴへ送信する。
【００４７】
（第５の実施形態）
図１０は、本発明の無線ＬＡＮ装置の第５の実施形態を示す。図１１は、本発明の第５の実施形態の処理手順（ＧＥ−ＰＯＮフレームから802.11ＭＡＣフレームを生成する処理手順）を示す。
【００４８】
第４の実施形態は、同一のＬＬＩＤ、宛先アドレスおよび送信元アドレスをもつ複数のＧＥ−ＰＯＮフレームのデータ部を１つの802.11ＭＡＣフレームに詰め込む際に、所定時間内で無線ＬＡＮ装置１００に連続受信するＧＥ−ＰＯＮフレームを対象としていた。すなわち、所定時間内に異なるＬＬＩＤ、宛先アドレスまたは送信元アドレスをもつＧＥ−ＰＯＮフレームを受信した場合には、それまでに受信している同一のＬＬＩＤ、宛先アドレスおよび送信元アドレスをもつＧＥ−ＰＯＮフレームのデータ部を詰め込んだ１つの802.11ＭＡＣフレームを生成し、送信していた。
【００４９】
本実施形態は、光アクセス回線帯域と無線回線帯域のギャップを解消するために、所定時間内に受信するＧＥ−ＰＯＮフレームのうち、所定のＯＮＵ宛または所定のＯＮＵを送信元とするＧＥ−ＰＯＮフレーム以外をシェーピングし、802.11ＭＡＣフレームに格納しないことを特徴とする。すなわち、所定時間内に受信する所定のＬＬＩＤ、宛先アドレスまたは送信元アドレスをもつＧＥ−ＰＯＮフレームを対象とし、１つの802.11ＭＡＣフレームに格納できる範囲でデータ部を詰め込んむ処理を行う。
【００５０】
本実施形態の無線ＬＡＮ装置１００の構成は、図７に示す第４の実施形態とほぼ同様であるが、識別子抽出部１０２において、所定のＬＬＩＤをもつＧＥ−ＰＯＮフレーム以外を廃棄するところが異なる。また、バッファ部１１４およびフレーム生成・展開部１１５は、所定時間内に受信する所定のＬＬＩＤをもち、かつ同じ宛先アドレスおよび送信元アドレスをもつＧＥ−ＰＯＮフレームのみを対象として、第４の実施形態と同様の処理を行う。なお、802.11ＭＡＣフレームをＧＥ−ＰＯＮフレームに展開する処理手順は、図９に示す第４の実施形態と同様である。
【００５１】
ＧＥ−ＰＯＮフレームから802.11ＭＡＣフレームを生成する処理手順について説明する。図７、図１０および図１１において、光信号送受信部１０１はＯＮＵまたはＯＬＴから送信された光信号（ＧＥ−ＰＯＮフレーム）を受信し（Ｓ１）、識別子抽出部１０２はＧＥ−ＰＯＮフレームのプリアンブルからＳＬＤ，ＬＬＩＤ，ＣＲＣを抽出し（Ｓ2-1 ）、バッファ部１１４に格納する。ここで、識別子抽出部１０２は所定のＬＬＩＤをもつＧＥ−ＰＯＮフレームか否かを判断し（Ｓ41）、所定のＬＬＩＤをもつＧＥ−ＰＯＮフレームをフレーム生成・展開部１１５に出力するとともに、所定のＬＬＩＤをもつＧＥ−ＰＯＮフレーム以外を廃棄する（Ｓ42）。フレーム生成・展開部１１５は、所定のＬＬＩＤ、同じ宛先アドレスおよび送信元アドレスをもつＧＥ−ＰＯＮフレームをバッファ部１１４にバッファリングする（Ｓ43）。そして、所定時間が経過するまで、該当するＧＥ−ＰＯＮフレームをバッファリングし、それ以外を廃棄する処理を繰り返す（Ｓ44）。
【００５２】
フレーム生成・展開部１１５は、バッファ部１０４からＳＬＤ，ＬＬＩＤ，ＣＲＣを読み出し、802.11ＭＡＣフレームの802.11ＭＡＣヘッダ内のアドレス４に埋め込み（Ｓ3-1 ）、ＧＥ−ＰＯＮフレームの宛先アドレスおよび送信元アドレスを802.11ＭＡＣフレームの802.11ＭＡＣヘッダのアドレス１およびアドレス２にコピーし、最初のＧＥ−ＰＯＮフレームのタイプおよびデータ部を802.11ＭＡＣフレームのタイプおよびデータ部にコピーする処理を行う（Ｓ４）。
【００５３】
フレーム生成・展開部１１５は、ステップＳ４で生成した802.11ＭＡＣフレームをバッファ部１１４にバッファリングし（Ｓ21）、そのデータ部に次のＧＥ−ＰＯＮフレームのデータ部が格納可能か否かを判断する（Ｓ24）。この判断処理は第４の実施形態と同様であり、格納可能であれば802.11ＭＡＣフレームのデータ部に、所定のプリアンブルを挿入して次のＧＥ−ＰＯＮフレームのデータ部を格納し（Ｓ25）、生成した802.11ＭＡＣフレームをバッファ部１１４にバッファリングする（Ｓ21）。以下、802.11ＭＡＣフレームのデータ部に次のＧＥ−ＰＯＮフレームのデータ部が格納できなくなるまで、ステップＳ24〜Ｓ25の処理を繰り返す。
【００５４】
ここで、ステップＳ24で802.11ＭＡＣフレームのデータ部に次のＧＥ−ＰＯＮフレームのデータ部を格納できない場合には、フレーム生成・展開部１０５は、第１の実施形態と同様に、バッファ部１１４にバッファリングしている802.11ＭＡＣフレームを読み出し、802.11ＭＡＣフレームのＦＣＳを生成し、無線信号送受信部１０６へ出力する（Ｓ５）。
【００５５】
図１０に示す例は、ＬＬＩＤ（Ａ）を対象とし、ＬＬＩＤ（Ｂ）のＧＥ−ＰＯＮフレームは廃棄され、データａ，ｃ，ｄ，ｅを含むＧＥ−ＰＯＮフレームが所定時間内に受信したものとしてバッファリングされる。ただし、ここではデータａ，ｃ，ｄが１つの802.11ＭＡＣフレームに格納され、データｅを含むＧＥ−ＰＯＮフレームは次の802.11ＭＡＣフレームに格納される。
【００５６】
なお、本実施形態では、ＧＥ−ＰＯＮフレームから802.11ＭＡＣフレームを生成する処理におけるＧＥ−ＰＯＮフレームのＬＬＩＤの扱いを第１の実施形態に基づいて説明したが、第２の実施形態あるいは第３の実施形態の処理手順であってもよい。また、802.11ＭＡＣフレームをＧＥ−ＰＯＮフレームに展開する処理手順においても同様である。
【図面の簡単な説明】
【００５７】
【図１】本発明の無線ＬＡＮ装置の第１の実施形態を示す図。
【図２】本発明の第１の実施形態の処理手順を示すフローチャート。
【図３】本発明の無線ＬＡＮ装置の第２の実施形態を示す図。
【図４】本発明の第２の実施形態の処理手順を示すフローチャート。
【図５】本発明の無線ＬＡＮ装置の第３の実施形態を示す図。
【図６】本発明の第３の実施形態の処理手順を示すフローチャート。
【図７】本発明の無線ＬＡＮ装置の第４の実施形態を示す図。
【図８】本発明の第４の実施形態の処理手順１を示すフローチャート。
【図９】本発明の第４の実施形態の処理手順２を示すフローチャート。
【図１０】本発明の無線ＬＡＮ装置の第５の実施形態を示す図。
【図１１】本発明の第５の実施形態の処理手順を示すフローチャート。
【図１２】光アクセスネットワークの構成例を示す図。
【図１３】ＧＥ−ＰＯＮフレームの構成例を示す図。
【図１４】イーサネットフレームと802.11ＭＡＣフレームの関係を示す図。
【図１５】光アクセスネットワークの障害時の復旧例を説明する図。
【符号の説明】
【００５８】
１００  無線ＬＡＮ装置
１０１  光信号送受信部
１０２，１０３  識別子抽出部
１０４，１１４  バッファ部
１０５，１１５  フレーム生成・展開部
１０６  無線信号送受信部
【図１】
2010130330.tif 000003
【図２】
2010130330.tif 000004
【図３】
2010130330.tif 000005
【図４】
2010130330.tif 000006
【図５】
2010130330.tif 000007
【図６】
2010130330.tif 000008
【図７】
2010130330.tif 000009
【図８】
2010130330.tif 000010
【図９】
2010130330.tif 000011
【図１０】
2010130330.tif 000012
【図１１】
2010130330.tif 000013
【図１２】
2010130330.tif 000014
【図１３】
2010130330.tif 000015
【図１４】
2010130330.tif 000016
【図１５】
2010130330.tif 000017